(57)【要約】【課題】配信者が視聴者から撮影画像を収集することを円滑化するサーバ装置等を提供する。【解決手段】  サーバ装置１００は、ライブコンテンツの配信者が使用する配信者端末と、ライブコンテンツの視聴者が使用する視聴者端末と通信する。サーバ装置１００は、撮影条件取得部１４２と、撮影指示信号送信部１４３と、撮影画像取得部１４４とを備える。撮影条件取得部１４２は、配信者によって設定された撮影条件を配信者端末から取得する。撮影指示信号送信部１４３は、視聴者が撮影条件を満たした場合に撮影動作を実行させる撮影指示信号を視聴者端末に送信する。撮影画像取得部１４４は、撮影動作によって得られた撮影画像を視聴者端末から取得する。【選択図】図２
2019068408.tif 000002
【特許請求の範囲】
【請求項１】
ライブコンテンツの配信者が使用する配信者端末と、該ライブコンテンツの視聴者が使用する視聴者端末と通信するサーバ装置であって、
前記配信者によって設定された撮影条件を前記配信者端末から取得する撮影条件取得部と、
前記視聴者が前記撮影条件を満たした場合に撮影動作を実行させる撮影指示信号を前記視聴者端末に送信する撮影指示信号送信部と、
前記撮影動作によって得られた撮影画像を前記視聴者端末から取得する撮影画像取得部と、
を備えることを特徴とするサーバ装置。
【請求項２】
前記撮影画像取得部が複数の前記視聴者端末のそれぞれから取得した前記撮影画像を複数の前記視聴者端末に配信する配信部をさらに備える、
ことを特徴とする請求項１に記載のサーバ装置。
【請求項３】
前記配信部は、前記撮影画像を加工した画像を複数の前記視聴者端末に配信する、
ことを特徴とする請求項２に記載のサーバ装置。
【請求項４】
前記撮影画像取得部は、複数の前記視聴者端末のそれぞれから前記撮影画像を取得し、
前記配信部は、前記取得した撮影画像に基づいて生成された写真集又は集合写真を配信する、
ことを特徴とする請求項２又は３に記載のサーバ装置。
【請求項５】
前記写真集又は集合写真は、前記配信者端末が撮影した撮影画像に基づく画像を含む、
ことを特徴とする請求項４に記載のサーバ装置。
【請求項６】
前記撮影条件は、被写体条件であり、
前記撮影指示信号送信部は、
前記被写体条件として、前記視聴者端末の撮影画面上に前記視聴者の体の一部又は全部のシルエットをはめるためのフレームを表示させ、該視聴者端末が前記視聴者のシルエットがフレームに入ったことを認識した場合に該視聴者端末に前記撮影動作を実行させる、
ことを特徴とする請求項１から４のいずれか1項に記載のサーバ装置。
【請求項７】
前記撮影指示信号送信部は、複数の前記視聴者端末のそれぞれによって異なる前記フレームを表示させる、
ことを特徴とする請求項６に記載のサーバ装置。
【請求項８】
前記撮影画像取得部が前記視聴者端末から取得する前記撮影画像は、前記フレームの中の画像部分を抽出した画像である、
ことを特徴とする請求項６又は７に記載のサーバ装置。
【請求項９】
前記撮影条件は、被写体条件であり、
前記撮影指示信号送信部は、
前記被写体条件として、前記視聴者端末の撮影画面上に前記視聴者に要求するポーズを表示させ、該視聴者が該ポーズを取ったことを該視聴者端末が認識した場合に該視聴者端末に前記撮影動作を実行させる、
ことを特徴とする請求項１から４のいずれか1項に記載のサーバ装置。
【請求項１０】
前記撮影指示信号送信部は、複数の前記視聴者端末のそれぞれによって異なる前記ポーズを表示させる、
ことを特徴とする請求項９に記載のサーバ装置。
【請求項１１】
前記撮影条件は、音声入力条件であり、
前記撮影指示信号送信部は、前記視聴者端末に、前記音声入力条件として前記視聴者が音声入力すべきセリフを表示させる、
ことを特徴とする請求項１に記載のサーバ装置。
【請求項１２】
前記セリフは、前記配信者又は他の前記視聴者のセリフと組み合わせることによって完成するシナリオの一部である、
ことを特徴とする請求項１１に記載のサーバ装置。
【請求項１３】
前記セリフは、前記配信者が用意した題目に対する回答である、
ことを特徴とする請求項１１に記載のサーバ装置。
【請求項１４】
前記撮影指示信号送信部は、前記配信者が前記題目を読み上げたことを契機に、前記視聴者端末に前記セリフを表示させる、
ことを特徴とする請求項１３に記載のサーバ装置。
【請求項１５】
前記撮影画像取得部が複数の前記視聴者端末のそれぞれから取得した前記撮影画像を複数の前記視聴者端末に配信する配信部と、
複数の前記視聴者が入力した音声を示す音声データを複数の前記視聴者端末のそれぞれから取得する音声データ取得部と、
をさらに備え、
前記撮影画像取得部は、複数の前記視聴者端末のそれぞれから前記撮影画像を取得し、
前記配信部は、前記取得した撮影画像及び音声データに基づいて生成された写真集又は集合写真を配信する、
ことを特徴とする請求項１１に記載のサーバ装置。
【請求項１６】
ライブコンテンツの配信者によって使用される配信者端末と、
前記ライブコンテンツの視聴者によって使用される視聴者端末と、
前記配信者端末及び前記視聴者端末と通信するサーバ装置と、
を備える配信システムであって、
前記配信者端末は、前記配信者によって設定された撮影条件を前記サーバ装置に送信し、
前記サーバ装置は、前記視聴者が前記撮影条件を満たした場合に撮影動作を実行させる撮影指示信号を前記視聴者端末に送信し、
前記視聴者端末は、前記撮影動作によって得られた撮影画像を前記サーバ装置に送信する、
ことを特徴とする配信システム。
【請求項１７】
前記視聴者端末は、前記サーバ装置に前記撮影画像を送信する前に、該撮影画像を送信してよいか否かを確認する画面を表示する、
ことを特徴とする請求項１６に記載の配信システム。
【請求項１８】
前記視聴者端末は、前記サーバ装置が前記撮影画像を配信する前に、該撮影画像を配信してよいか否かを確認する画面を表示する、
ことを特徴とする請求項１６又は１７に記載の配信システム。
【請求項１９】
配信者によって設定された撮影条件を配信者端末から取得する撮影条件取得ステップと、
視聴者が前記撮影条件を満たした場合に撮影動作を実行させる撮影指示信号を視聴者端末に送信する撮影指示信号送信ステップと、
前記撮影動作によって得られた撮影画像を前記視聴者端末から取得する撮影画像取得ステップと、
を含むことを特徴とする配信方法。
【請求項２０】
コンピュータを、
配信者によって設定された撮影条件を配信者端末から取得する撮影条件取得手段、
視聴者が前記撮影条件を満たした場合に撮影動作を実行させる撮影指示信号を視聴者端末に送信する撮影指示信号送信手段、
前記撮影動作によって得られた撮影画像を前記視聴者端末から取得する撮影画像取得手段、
として機能させるプログラム。
【発明の詳細な説明】
【技術分野】
【０００１】
本開示は、サーバ装置、配信システム、配信方法及びプログラムに関する。
【背景技術】
【０００２】
近年、ライブコンテンツを、ネットワークを介して配信するサービスが普及している。このようなライブコンテンツは、インターネット生放送とも称される。
【０００３】
ライブコンテンツを配信する配信者は、視聴者数を増やすために、生放送中に視聴者とコミュニケーションを取ることがある。例えば、配信者が視聴者の撮影画像を収集して、それを配信に利用することが考えられる。
【０００４】
しかし、配信者が視聴者に対し、撮影と撮影した画像データの送信を要求しても、拒否されやすい。これは、視聴者に判断する間が与えられるからである。一方、配信者がエンタメ性のあるキッカケによって視聴者を誘導すれば、視聴者は撮影行為に同意しやすい。そのため、エンタメ性のあるキッカケを導入して、視聴者からの撮影画像の収集を円滑化することが望ましい。
【０００５】
ところで、特許文献１には、ゲームセンタで使用される写真プリント提供装置が開示されている。この装置は、選択された撮影コースに応じて、音声とアニメーションによりガイダンスを行い、１０ショット、６ショット等の繰り返し撮影を行う。
【０００６】
特許文献２には、所定の音声又はポーズをトリガーとしてオート撮影を行う装置が開示されている。また、特許文献２には、コントロール部が撮像部とBluetooth（登録商標）に基づく近距離無線通信を行い、遠隔でオート撮影することが開示されている。
【先行技術文献】
【特許文献】
【０００７】
【特許文献１】特開２００６−５８７９８号公報
【特許文献２】特開２０１６−７２６７３号公報
【発明の概要】
【発明が解決しようとする課題】
【０００８】
特許文献１に開示されている装置は、音声とアニメーションによるガイダンスによって被写体を誘導する。しかし、この誘導は、所望の撮影を行うための誘導であり、被写体を撮影行為に同意しやすくするための誘導ではない。特許文献２に開示されている装置は、所定の音声又はポーズを撮影条件としている。しかし、この撮影条件も、被写体を撮影行為に同意しやすくするための誘導ではない。
【０００９】
また、特許文献１は、撮影実行者が撮影場所にいることを前提としている。一方、特許文献２は、遠隔でオート撮影することについても開示している。しかし、近距離無線通信であるため、撮影実行者は撮影場所の付近（例えば撮影場所から２０ｍ以内）にいなければならない。そのため、特許文献１、２が開示する技術は、被写体となる視聴者から遠く離れた配信者が撮影実行者として視聴者から撮影画像の収集を行うことには適用できない。
【００１０】
このように、特許文献１、２は、配信者が視聴者から撮影画像を収集することを円滑化することについて開示していない。
【００１１】
そこで、本開示はこのような事情に鑑み、配信者が視聴者から撮影画像を収集することを円滑化するサーバ装置等を提供することを目的とする。
【課題を解決するための手段】
【００１２】
上記目的を達成するため、本開示の第１の観点に係るサーバ装置は、ライブコンテンツの配信者が使用する配信者端末と、ライブコンテンツの視聴者が使用する視聴者端末と通信するサーバ装置であって、配信者によって設定された撮影条件を配信者端末から取得する撮影条件取得部と、視聴者が撮影条件を満たした場合に撮影動作を実行させる撮影指示信号を視聴者端末に送信する撮影指示信号送信部と、撮影動作によって得られた撮影画像を視聴者端末から取得する撮影画像取得部と、を備えることを特徴とする。
【００１３】
また、上記目的を達成するため、本開示の第２の観点に係る配信システムは、ライブコンテンツの配信者によって使用される配信者端末と、ライブコンテンツの視聴者によって使用される視聴者端末と、配信者端末及び視聴者端末と通信するサーバ装置と、を備える配信システムであって、配信者端末は、配信者によって設定された撮影条件をサーバ装置に送信し、サーバ装置は、視聴者が撮影条件を満たした場合に撮影動作を実行させる撮影指示信号を視聴者端末に送信し、視聴者端末は、撮影動作によって得られた撮影画像をサーバ装置に送信する、ことを特徴とする。
【００１４】
また、上記目的を達成するため、本開示の第３の観点に係る配信方法は、配信者によって設定された撮影条件を配信者端末から取得する撮影条件取得ステップと、視聴者が撮影条件を満たした場合に撮影動作を実行させる撮影指示信号を視聴者端末に送信する撮影指示信号送信ステップと、撮影動作によって得られた撮影画像を視聴者端末から取得する撮影画像取得ステップと、を含むことを特徴とする。
【００１５】
また、上記目的を達成するため、本開示の第４の観点に係るプログラムは、コンピュータを、配信者によって設定された撮影条件を配信者端末から取得する撮影条件取得手段、視聴者が撮影条件を満たした場合に撮影動作を実行させる撮影指示信号を視聴者端末に送信する撮影指示信号送信手段、撮影動作によって得られた撮影画像を視聴者端末から取得する撮影画像取得手段、として機能させる。
【発明の効果】
【００１６】
本開示によれば、配信者が視聴者から撮影画像を収集することを円滑化することができる。
【図面の簡単な説明】
【００１７】
【図１】第１実施形態に係る配信システムの構成例を示す図である。
【図２】第１実施形態に係るサーバ装置の構成例を示すブロック図である。
【図３】第１実施形態に係る配信者端末の構成例を示すブロック図である。
【図４】第１実施形態に係る視聴者端末の構成例を示すブロック図である。
【図５】視聴者端末に表示される画面の一例（その１）を示す図である。
【図６】視聴者端末に表示される画面の一例（その２）を示す図である。
【図７】視聴者端末に表示される画面の一例（その３）を示す図である。
【図８】第１実施形態に係るサーバ装置が実行する制御処理の一例を示すフローチャートである。
【図９】第１実施形態に係るサーバ装置が配信する写真集の一例を示す図である。
【図１０】第２実施形態に係る配信システムの構成例を示す図である。
【図１１】第２実施形態に係るサーバ装置の構成例を示すブロック図である。
【図１２】第２実施形態に係る配信者端末の構成例を示すブロック図である。
【図１３】第２実施形態に係るサーバ装置が実行する制御処理の一例を示すフローチャートである。
【図１４】第２実施形態に係るサーバ装置が配信する集合写真を示す画像の一例を示す図である。
【発明を実施するための形態】
【００１８】
以下、本開示の実施形態について図面を参照して説明する。なお、以下に説明する実施形態は、特許請求の範囲に記載された本開示の内容を不当に限定するものではない。また、実施形態に示される構成要素のすべてが、本開示の必須の構成要素であるとは限らない。
【００１９】
（第１実施形態）
図１に示すように、本実施形態に係る配信システム１は、サーバ装置１００と、配信者端末２００と、一台以上の視聴者端末３００とを備える。サーバ装置１００と、配信者端末２００と、視聴者端末３００とは、それぞれネットワークＮＷを介して通信可能に接続される。ネットワークＮＷは、例えばＷＡＮ（World Area Network）である。
【００２０】
サーバ装置１００は、ネットワークＮＷを介して配信サービスを提供する。サーバ装置１００は、配信者端末２００からの受信データに基づいて、ライブコンテンツを視聴者端末３００に配信する。
【００２１】
配信者端末２００は、パーソナルコンピュータ、タブレット端末、スマートフォン等の通信機能を有する装置である。配信者端末２００は、ライブコンテンツを配信する配信者によって使用される。
【００２２】
視聴者端末３００は、パーソナルコンピュータ、タブレット端末、スマートフォン等の通信機能を有する装置である。視聴者端末３００は、ライブコンテンツを視聴する視聴者によって使用される。
【００２３】
＜サーバ装置の構成＞
以下、サーバ装置１００の構成を詳細に説明する。図２に示すように、サーバ装置１００は、他の装置と通信を行う通信部１１０と、各種データを記憶する記憶部１２０と、時刻を計時する計時部１３０と、装置全体の制御を行う制御部１４０とを備える。これらの構成要素は、バスラインＢＬによって相互に接続される。
【００２４】
通信部１１０は、有線通信又は無線通信を行うためのＮＩＣ（Network Interface Card controller）を備える通信インターフェースである。通信部１１０は、ネットワークＮＷを介して、配信者端末２００及び視聴者端末３００と通信を行う。
【００２５】
記憶部１２０は、ＲＡＭ（Random Access Memory）、ＲＯＭ（Read Only Memory）等から構成される。記憶部１２０は、各種制御処理を実行するためのプログラム、各種データ等を記憶する。
【００２６】
計時部１３０は、クロック信号を生成するための発振回路及び可変ＰＬＬ（Phase Locked Loop）、クロック信号のパルス数をカウントするカウンタ回路等から構成される。計時部１３０はカウントされるパルス数に基づいて時刻を計時する。
【００２７】
制御部１４０は、ＣＰＵ（Central Processing Unit）等から構成される。制御部１４０は、記憶部１２０に記憶されているプログラムを実行することにより、サーバ装置１００の全体の動作を制御する。制御部１４０は、計時部１３０がカウントするパルス数に基づいたタイミングで各種制御を実行する。また、制御部１４０は、計時部１３０が計時する時刻に基づいて、コンテンツの開始時点からの経過時間をカウントしたり、予め定められた時間を経過したか否かを判別したりする。
【００２８】
以下、制御部１４０の機能的な構成を説明する。制御部１４０は、配信部１４１、撮影条件取得部１４２、撮影指示信号送信部１４３、撮影画像取得部１４４として機能する。
【００２９】
配信部１４１は、通信部１１０を介して配信者端末２００から、ライブコンテンツを構成する撮影データ、音声データ等を受信する。配信部１４１は、受信した配信データに基づいてライブコンテンツを生成し、生成したライブコンテンツを、通信部１１０を介して視聴者端末３００へ配信する。
【００３０】
また、配信部１４１は、配信者端末２００又は視聴者端末３００からの受信データに基づいて各種画像データ、音声データ等を生成し、それらを配信者端末２００及び視聴者端末３００に配信する。各種画像データは、例えば、視聴者端末３００から受信した撮影画像、その撮影画像を加工した画像、視聴者端末３００から受信した複数の撮影画像に基づいて生成した写真集等である。音声データは、例えば、視聴者端末３００から受信した音声データに基づいて生成した、写真集とともに配信される音声データである。
【００３１】
撮影条件取得部１４２は、通信部１１０を介して配信者端末２００から、撮影条件を受信する。これにより、撮影条件取得部１４２は、撮影条件を取得する。撮影条件は、配信者によって設定された被写体条件又は音声入力条件である。被写体条件と音声入力条件の詳細については後述する。なお、撮影条件は、複数の視聴者端末３００のそれぞれによって異なっていてもよいし、同一であってもよい。
【００３２】
撮影指示信号送信部１４３は、通信部１１０を介して、撮影指示信号を視聴者端末３００に送信する。撮影指示信号は、視聴者が撮影条件を満たした場合に、視聴者端末３００に撮影動作を実行させる制御信号である。撮影指示信号送信部１４３は、複数の視聴者端末３００のいくつかに撮影指示信号を配信してもよい。撮影指示信号送信部１４３は、一つの視聴者端末３００のみに撮影指示信号を送信してもよい。
【００３３】
撮影画像取得部１４４は、通信部１１０を介して、視聴者端末３００の撮影動作によって得られた撮影画像を視聴者端末３００から受信する。これにより、撮影画像取得部１４４は、撮影画像を取得する。
【００３４】
＜配信者端末の構成＞
以下、配信者端末２００の構成を詳細に説明する。図３に示すように、配信者端末２００は、他の装置と通信を行う通信部２１０と、ユーザの操作を受け付ける操作部２２０と、各種データを記憶する記憶部２３０と、各種画像を表示する表示部２４０と、音声入力を受け付ける音声入力部２５０と、撮像を行う撮像部２６０と、装置全体の制御を行う制御部２７０とを備える。これらの構成要素は、バスラインＢＬによって相互に接続される。
【００３５】
通信部２１０は、有線通信又は無線通信を行うためのＮＩＣを備える通信インターフェースである。通信部２１０は、ネットワークＮＷを介して、サーバ装置１００と通信を行う。
【００３６】
操作部２２０は、操作ボタン、キーボード、ポインティングデバイス等から構成され、ユーザが指示を入力するために用いられるインターフェースである。
【００３７】
記憶部２３０は、ＲＡＭ、ＲＯＭ等から構成される。記憶部２３０は、各種制御処理を実行するためのプログラム、入力データ等を記憶する。
【００３８】
表示部２４０は、例えば、ＬＣＤ、ＥＬディスプレイ等によって構成される。表示部２４０は、制御部２７０からの入力データに応じてテキスト、画像等を表示する。
【００３９】
音声入力部２５０は、マイクロフォン等から構成される。音声入力部２５０は外部から入力された音声を受け付けて音声データを取得する。
【００４０】
撮像部２６０は、レンズ、イメージセンサ、集積回路等を備えるカメラである。撮像部２６０は、外部を撮影して撮影データを取得する。撮影データは静止画データであってもよいし、動画データであってもよい。
【００４１】
制御部２７０は、ＣＰＵ等から構成される。制御部２７０は、記憶部２３０に記憶されているプログラムを実行することにより、配信者端末２００の全体の動作を制御する。
【００４２】
以下、制御部２７０の機能的な構成を説明する。制御部２７０は、配信データ送信部２７１、撮影条件送信部２７２として機能する。
【００４３】
配信データ送信部２７１は、通信部２１０を介してサーバ装置１００に配信データを送信する。例えば、配信データ送信部２７１は、音声入力部２５０において取得した音声データと撮像部２６０において取得した撮影データとを配信データとしてサーバ装置１００に送信する。
【００４４】
撮影条件送信部２７２は、操作部２２０を介して、ユーザによる撮影条件の設定を受け付ける。撮影条件送信部２７２は、通信部２１０を介して、その撮影条件をサーバ装置１００に送信する。
【００４５】
＜視聴者端末の構成＞
以下、視聴者端末３００の構成を詳細に説明する。図４に示すように、視聴者端末３００は、他の装置と通信を行う通信部３１０と、ユーザの入力操作を受け付ける操作部３２０と、各種データを記憶する記憶部３３０と、各種画像を表示する表示部３４０と、音声を出力する音声出力部３５０と、音声入力を受け付ける音声入力部３６０と、撮像を行う撮像部３７０と、装置全体の制御を行う制御部３８０とを備える。これらの構成要素は、バスラインＢＬによって相互に接続される。
【００４６】
通信部３１０は、有線通信又は無線通信を行うためのＮＩＣを備える通信インターフェースである。通信部３１０は、ネットワークＮＷを介して、サーバ装置１００と通信を行う。
【００４７】
操作部３２０は、操作ボタン、キーボード、ポインティングデバイス等から構成され、ユーザが指示を入力するために用いられるインターフェースである。
【００４８】
記憶部３３０は、ＲＡＭ、ＲＯＭ等から構成される。記憶部３３０は、各種制御処理を実行するためのプログラム、入力データ等を記憶する。
【００４９】
表示部３４０は、例えば、ＬＣＤ、ＥＬディスプレイ等によって構成される。表示部３４０は、制御部３８０からの入力データに応じてテキスト、画像等を表示する。
【００５０】
音声出力部３５０は、スピーカー、アンプ等から構成される。音声出力部３５０は制御部３８０からの入力データに応じて音声を出力する。
【００５１】
音声入力部３６０は、マイクロフォン等から構成される。音声入力部３６０は、外部から入力された音声を受け付けて音声データを取得する。
【００５２】
撮像部３７０は、レンズ、イメージセンサ、集積回路等を備えるカメラである。撮像部３７０は、外部を撮影して撮影データを取得する。撮影データは静止画データであってもよいし、動画データであってもよい。本実施形態では、撮影データが、写真すなわち静止画データである場合を説明する。
【００５３】
制御部３８０は、ＣＰＵ等から構成される。制御部３８０は、記憶部３３０に記憶されているプログラムを実行することにより、視聴者端末３００の全体の動作を制御する。
【００５４】
以下、制御部３８０の機能的な構成を説明する。制御部３８０は、コンテンツ取得部３８１、撮影指示信号取得部３８２、表示制御部３８３、音声出力制御部３８４、画像認識部３８５、音声認識部３８６、撮影実行部３８７として機能する。
【００５５】
コンテンツ取得部３８１は、サーバ装置１００から配信されるライブコンテンツのデータを、通信部３１０を介して受信し、コンテンツデータを取得する。
【００５６】
撮影指示信号取得部３８２は、通信部３１０を介して、サーバ装置１００から撮影指示信号を受信し、撮影指示信号を取得する。
【００５７】
表示制御部３８３は、表示部３４０を制御して、テキスト、画像等を表示する。例えば、表示制御部３８３は、コンテンツ取得部３８１が取得したライブコンテンツの映像を、表示部３４０に表示させる。また、表示制御部３８３は、撮影指示信号取得部３８２が取得した撮影指示信号に基づいて、撮影画面と被写体条件又は音声入力条件を示す情報とを表示部３４０に表示させる。
【００５８】
音声出力制御部３８４は、音声出力部３５０を制御して、音声を出力する。例えば、音声出力制御部３８４は、ライブコンテンツの音声を出力する。撮影指示信号取得部３８２が取得した撮影指示信号に応じて、所定の通知音を音声出力部３５０に出力させる。
【００５９】
所定の通知音は、例えば、視聴者端末３００が撮影指示信号を受信したことを示す通知音、撮影完了又は撮影失敗を示す通知音、撮影動作の待機時間を示す通知音等である。撮影動作の待機時間とは、撮影指示信号を受信した後の予め定められた時間であって、表示部３４０が撮影画面を表示している時間である。
【００６０】
画像認識部３８５は、撮像部３７０に映っている画像（すなわち撮影画面に映っている画像）の画像認識を行う。画像認識部３８５は、撮影動作の待機時間において画像認識を行い、視聴者が被写体条件を満たしたか否かを判別する。
【００６１】
音声認識部３８６は、音声入力部３６０に入力された音声の音声認識を行う。撮影動作の待機時間において、音声認識部３８６は音声認識を行い、視聴者が音声入力条件を満たしたか否かを判別する。
【００６２】
撮影実行部３８７は、撮像動作の待機時間において、視聴者が撮影条件を満たした場合に撮影動作を実行する。具体的には、撮影実行部３８７は、撮像部３７０を制御して写真撮影を行う。この撮影動作によって得られた写真を示す撮影データは、通信部３１０を介して、サーバ装置１００に送信される。
【００６３】
＜撮影条件＞
以下、撮影条件について３つの例を挙げて説明する。まず、撮影条件の第１の例を説明する。図５は、視聴者端末３００に表示される画面の一例（その１）を示している。この画面では、上部に撮影画面Ａ１が表示され、下部に撮影条件を説明するメッセージボックスＡ２が表示される。撮影画面Ａ１に映っている人物は視聴者である。なお、撮影画面Ａ１は、視聴者端末３００が撮影指示信号を受信した場合に一定時間だけ表示される。それ以外の時間では、撮影画面Ａ１の代わりに、ライブコンテンツの映像が表示される。
【００６４】
撮影画面Ａ１上には、被写体条件として、視聴者の顔を当てはめるための矩形状のフレームＦ１が表示される。このフレームＦ１内に視聴者の顔が収まると、画像認識部３８５が被写体条件を満たしたと判別し、撮影実行部３８７が撮影動作を実行する。
【００６５】
撮影実行部３８７は、撮影動作において、撮影画面Ａ１に映っている全部を静止画として取得してもよいし、フレームＦ１の中の画像部分のみを抽出した静止画を取得してもよい。なお、フレームＦ１は、図５に示す例に限らず、視聴者の体の一部又は全部のシルエットをはめるための大きさと形状とを有するものであってもよい。例えば、視聴者の腕を屈曲してはめる形状であってもよいし、手のひらをはめ込む手形形状であってもよい。
【００６６】
フレームＦ１の形状、大きさ等は、配信者端末２００を使用する配信者によって設定される。配信者は、サーバ装置１００を介して、複数の視聴者端末３００に撮影指示信号を送信する場合、複数の視聴者端末３００のそれぞれに異なるフレームＦ１を設定してもよい。例えば、フレームＦ１は、各々の視聴者端末３００において固有に設定されてもよい。また、一部の視聴者端末３００には、第１のフレームＦ１が設定され、他の一部の視聴者端末３００には第１のフレームＦ１とは異なるフレームＦ１が設定されてもよい。すなわち、配信者は、複数パターンのフレームＦ１を設定することが可能である。
【００６７】
撮影条件の第２の例を説明する。図６は、視聴者端末３００に表示される画面の一例（その２）を示している。この画面では、図５と同様に、撮影画面Ａ１とメッセージボックスＡ２とが表示される。撮影画面Ａ１に映っている人物は視聴者である。
【００６８】
撮影画面Ａ１上には、被写体条件として、視聴者に要求するポーズＰ１が表示される。視聴者が、このポーズＰ１と同じポーズをとると、画像認識部３８５が被写体条件を満たしたと判別し、撮影実行部３８７が撮影動作を実行する。
【００６９】
撮影実行部３８７は、撮影動作において、撮影画面Ａ１に映っている全部を静止画として取得してもよいし、認識された視聴者の画像部分のみを抽出した静止画を取得してもよい。なお、図６では、ポーズＰ１が両手を頭上に上げるポーズを示している。しかし、ポーズＰ１は、図６に示す例に限らず、起立するポーズ、両目を手で覆うポーズ等であってもよい。
【００７０】
ポーズＰ１は、配信者端末２００を使用する配信者によって設定される。配信者は、サーバ１００を介して、複数の視聴者端末３００に撮影指示信号を送信する場合、複数の視聴者端末３００のそれぞれに異なるポーズＰ１を設定してもよい。
【００７１】
撮影条件の第３の例を説明する。図７は、視聴者端末３００に表示される画面の一例（その３）を示している。この画面では、図５と同様に、撮影画面Ａ１とメッセージボックスＡ２とが表示される。撮影画面Ａ１に映っている人物は視聴者である。
【００７２】
メッセージボックスＡ２には、音声入力条件として、視聴者が音声入力すべきセリフが表示される。この例では、セリフは「レッツ ゴー」である。視聴者が、このセリフを読み上げると、音声認識部３８６が音声入力条件を満たしたと判別し、撮影実行部３８７が撮影動作を実行する。撮影実行部３８７は、撮影動作において、撮影画面Ａ１に映っている全部を静止画として取得する。
【００７３】
セリフは、配信者端末２００を使用する配信者によって設定される。配信者は、サーバ１００を介して、複数の視聴者端末３００に撮影指示信号を送信する場合、複数の視聴者端末３００のそれぞれに異なるセリフを設定してもよい。
【００７４】
＜処理の流れ＞
以下、図８を参照しながら、サーバ装置１００が実行する制御処理の一例を説明する。この処理は、配信者端末２００がサーバ装置１００にログインして、ライブコンテンツの配信を開始したことを契機に実行される。なお、ここでは、サーバ装置１００が、複数の視聴者端末３００から撮影画像を収集し、それに基づいて生成した写真集を配信する例を説明する。
【００７５】
まず、制御部１４０の撮影条件取得部１４２は、配信者端末２００から配信者によって設定された撮影条件を取得する（ステップＳ１０１）。ここでは、配信者が設定した撮影条件が第１の例で説明した被写体条件である場合を説明する。
【００７６】
次に、制御部１４０の撮影指示信号送信部１４３は、取得した撮影条件に基づいて撮影指示信号を生成し、複数の視聴者端末３００に送信する（ステップＳ１０２）。なお、撮影条件が視聴者端末３００毎に設定されている場合、各々の視聴者端末３００に異なる撮影指示信号が送信される。
【００７７】
撮影指示信号を受信した視聴者端末３００は、被写体条件として、撮影画面Ａ１上に視聴者の体の一部のシルエットをはめるためのフレームＦ１を表示させる。この際、視聴者端末３００は所定の通知音を出力してもよい。視聴者端末３００は、視聴者の体の一部のシルエットがフレームＦ１に入ったことを認識した場合に撮影動作を実行する。フレームＦ１は、撮影動作の実行完了又は撮影待機時間の終了までの時間において継続的に表示される。視聴者端末３００は、撮影動作によって得られた撮影画像をサーバ装置１００に送信する。
【００７８】
制御部１４０の撮影画像取得部１４４は、通信部１１０を介して、視聴者端末３００から撮影動作によって得られた撮影画像を取得する（ステップＳ１０３）。複数の視聴者端末３００が撮影動作を実行している場合、制御部１４０の撮影画像取得部１４４は、それらのすべての撮影画像を収集する。
【００７９】
制御部１４０の配信部１４１は、取得した撮影画像に基づいて写真集を生成する（ステップＳ１０４）。例えば、図９は、３つの視聴者端末３００から取得した撮影画像に基づいて生成された写真集を示している。この例では、撮影画像は、フレームＦ１の中の画像部分（視聴者の顔の部分）を抽出した画像である。制御部１４０の配信部１４１は、この例のように、複数の撮影画像を並べた写真集を生成してもよいし、複数の撮影画像をスライドショーのように順番に表示する写真集を生成してもよい。
【００８０】
制御部１４０の配信部１４１は、通信部１１０を介して、生成した写真集を配信先に配信する（ステップＳ１０５）。配信先は、ネットワークＮＷを介して接続されているすべての視聴者端末３００であってもよいし、一部の視聴者端末３００だけであってもよい。また、配信先は、視聴者端末３００だけでなく、配信者端末２００を含んでいてもよい。
【００８１】
＜効果の説明＞
本実施形態に係る配信システム１によれば、例えば、配信者は、視聴者に対して写真集の作成を提案し、撮影条件を設定することができる。撮影条件に基づいて生成される撮影指示信号は、視聴者端末３００に、フレームＦ１を表示させたり、ポーズＰ１を表示させたり、合図となる音声入力条件を表示させたりする。視聴者端末３００がこのような表示を行う撮影待機時間は、撮影指示信号受信後に開始され、時間が限られている。
【００８２】
この場合、視聴者が撮影に応じるかどうかを考える時間は少ない。そのため、視聴者が撮影行為に同意しやすいように視聴者を誘導することができる。特に、配信者が、視聴者にセリフ、ポーズ等を要求すれば、それに基づいて特徴的な写真集を生成することができる。そのため、配信者は、視聴者にエンタメ性のあるキッカケを与えて、視聴者からの撮影画像の収集を円滑に行うことができる。
【００８３】
（第２実施形態）
本実施形態では、集合写真を生成して配信する配信システム２について説明する。なお、以下の説明において、第１実施形態に係る配信システム１と共通する構成要素については同一の符号を付する。
【００８４】
図１０に示すように、配信システム２は、サーバ装置４００と、配信者端末５００と、複数の視聴者端末３００とを備える。サーバ装置４００と、配信者端末５００と、視聴者端末３００とは、それぞれネットワークＮＷを介して通信可能に接続される。
【００８５】
図１１に示すように、サーバ装置４００は、通信部１１０と、記憶部１２０と、計時部１３０と、制御部４４０とを備える。制御部４４０の配信部４４１は、集合写真を生成し、生成した集合写真を配信する点で第１実施形態のサーバ装置１００の配信部１４１とは異なる。
【００８６】
図１２に示すように、配信者端末５００は、通信部２１０と、操作部２２０と、記憶部２３０と、表示部２４０と、音声入力部２５０と、撮像部２６０と、制御部５７０とを備える。制御部５７０は、表示制御部５７３と、画像認識部５７４と、音声認識部５７５と、撮影実行部５７６とを備える点で第１実施形態のサーバ装置１００の制御部２７０とは異なる。
【００８７】
表示制御部５７３は、表示部２４０を制御して、テキスト、画像等を表示する。例えば、表示制御部５７３は、配信しているライブコンテンツの撮影画面を表示部２４０に表示させる。また、表示制御部５７３は、操作部２２０を介して設定された配信者用の被写体条件又は音声入力条件を示す情報を表示部２４０に表示させる。
【００８８】
画像認識部５７４は、撮像部２６０に映っている画像（すなわち撮影画面に映っている画像）の画像認識を行う。画像認識部５７４は、予め定められた撮影動作の待機時間において画像認識を行い、配信者が被写体条件を満たしたか否かを判別する。配信者端末５００の撮影動作の待機時間は、撮影条件送信部２７２が撮影条件を送信するタイミングで開始してもよいし、配信者が操作部２２０を介して撮影動作の実行を指示したタイミングで開始してもよい。
【００８９】
音声認識部５７５は、音声入力部２５０に入力された音声の音声認識を行う。音声認識部５７５は、予め定められた撮影動作の待機時間において、音声認識を行い、配信者が音声入力条件を満たしたか否かを判別する。
【００９０】
撮影実行部５７６は、配信者が被写体条件又は音声入力条件を満たした場合に、撮像部２６０を制御して、撮影動作を実行する。なお、撮影実行部５７６は、配信者が操作部２２０を介して撮影動作の実行を指示したタイミングで撮影動作を実行してもよい。配信者端末５００の撮影動作は、その撮影実行時のタイミングで、配信しているライブコンテンツの撮影画面の一部又は全部を静止画として取得するものである。また、撮影実行部５７６は、撮影動作によって得られた撮影画像を、通信部２１０を介してサーバ装置４００に送信する。
【００９１】
なお、画像認識部５７４は、例えば、視聴者端末３００の被写体条件と同様に、配信者がフレームＦ１の中に体の一部のシルエットを収めたか否か、ポーズＰ１をとったりしたか否か等によって被写体条件を満たしたか否かを判別する。音声認識部５７５は、例えば、視聴者端末３００の音声入力条件と同様に、配信者が設定したセリフを読み上げたか否かによって音声入力条件を満たしたか否かを判別する。
【００９２】
＜処理の流れ＞
以下、図１３を参照しながら、サーバ装置４００が実行する制御処理の一例を説明する。この処理は、配信者端末５００がサーバ装置４００にログインして、ライブコンテンツの配信を開始したことを契機に実行される。なお、ここでは、サーバ装置４００が、配信者端末５００と、複数の視聴者端末３００とから撮影画像を収集し、それに基づいて生成した集合写真を配信する例を説明する。
【００９３】
まず、制御部４４０の撮影条件取得部１４２は、配信者端末２００から配信者によって設定された撮影条件を取得する（ステップＳ２０１）。ここでは、配信者が設定した撮影条件が第１の例で説明した被写体条件である場合を説明する。また、配信者が配信者端末５００についても撮影条件として被写体条件を設定している場合を説明する。
【００９４】
なお、サーバ装置４００に撮影条件を送信した配信者端末５００では、撮影待機時間が開始して、画像認識部５７４は画像認識を行い、配信者が被写体条件を満たしたか否かを判別する。配信者端末５００の撮影実行部５７６は、配信者が被写体条件を満たした場合に撮像部２６０を制御して、撮影動作を実行する。
【００９５】
次に、制御部４４０の撮影指示信号送信部１４３は、取得した撮影条件に基づいて撮影指示信号を生成し、複数の視聴者端末３００に送信する（ステップＳ２０２）。なお、撮影条件が視聴者端末３００毎に設定されている場合、各々の視聴者端末３００に異なる撮影指示信号が送信される。
【００９６】
撮影指示信号を受信した視聴者端末３００は、被写体条件として、撮影画面Ａ１上に視聴者の体の一部のシルエットをはめるためのフレームＦ１を表示させる。この際、視聴者端末３００は所定の通知音を出力してもよい。視聴者端末３００は、視聴者の体の一部のシルエットがフレームＦ１に入ったことを認識した場合に撮影動作を実行する。フレームＦ１は、撮影動作の実行完了又は撮影待機時間の終了までの時間において継続的に表示される。視聴者端末３００は、撮影動作によって得られた撮影画像をサーバ装置４００に送信する。
【００９７】
制御部４４０の撮影画像取得部１４４は、通信部１１０を介して、配信者端末５００及び複数の視聴者端末３００のそれぞれから撮影動作によって得られた撮影画像を取得する（ステップＳ２０３）。
【００９８】
制御部４４０の配信部４４１は、収集した撮影画像に基づいて集合写真を生成する（ステップＳ２０４）。例えば、図１４は、５つの視聴者端末３００から取得した撮影画像と、配信者端末５００から取得した撮影画像とに基づいて生成された集合写真を示している。
【００９９】
この例では、撮影画像は、フレームＦ１の中の画像部分（視聴者又は配信者の顔の部分）を抽出した画像である。この集合写真は、配信者と視聴者の合計人数に基づいて生成した背景画像に、配信者と視聴者１、２、３、４、５の顔部分の撮影画像を組み込んで生成されている。制御部４４０の配信部４４１は、この例のように、複数の撮影画像を並べた集合写真を生成する。
【０１００】
制御部４４０の配信部４４１は、通信部１１０を介して、生成した集合写真を配信先に配信する（ステップＳ２０５）。配信先は、ネットワークＮＷを介して接続されているすべての視聴者端末３００であってもよいし、一部の視聴者端末３００だけであってもよい。また、配信先は、視聴者端末３００だけでなく、配信者端末５００を含んでいてもよい。
【０１０１】
＜効果の説明＞
本実施形態に係る配信システム２によれば、例えば、配信者は、視聴者に対して集合写真の作成を提案し、撮影条件を設定することができる。撮影条件に基づいて生成される撮影指示信号は、視聴者端末３００に、フレームＦ１を表示させたり、ポーズＰ１を表示させたり、合図となる音声入力条件を表示させたりする。視聴者端末３００がこのような表示を行う撮影待機時間は、撮影指示信号受信後に開始され、時間が限られている。
【０１０２】
この場合、視聴者が撮影に応じるかどうかを考える時間は少ない。そのため、視聴者が撮影行為に同意しやすいように視聴者を誘導することができる。特に、配信者が、視聴者にセリフ、ポーズ等を要求すれば、それに基づいて特徴的な集合写真を生成することができる。また、配信者と複数の視聴者とが一緒に写った集合写真を生成する場合、視聴者は配信サービス特有の集合写真を得ることができるため、撮影行為に対する参加意欲が増す。その結果、配信者は、視聴者にエンタメ性のあるキッカケを与えて、視聴者からの撮影画像の収集を円滑に行うことができる。
【０１０３】
以上で実施形態の説明を終了するが、上記実施形態は一例に過ぎない。そのため、配信システム１、２の具体的な構成、処理の内容等は上記実施形態で説明したものに限られない。以下、上記実施形態の変形例について説明する。
【０１０４】
（変形例）
まず、音声入力条件は、上記実施形態に示すものに限られない。例えば、複数の視聴者端末３００のそれぞれに異なるセリフを設定する場合、セリフは、他の視聴者のセリフと組み合わせることによって完成するシナリオの一部であってもよい。例えば、複数の視聴者端末３００のうち、第１の視聴者端末３００に表示されるセリフが「配信者Ａは人気者です」であり、第２の視聴者端末３００に表示されるセリフが「しかし、配信者Ａには敵がたくさんいます」であり、第３の視聴者端末３００に表示されるセリフが「だから、みんなで配信者Ａを応援しましょう」であってもよい。
【０１０５】
この場合において、視聴者端末３００の撮影実行部３８７は、撮影動作において取得した撮影データだけでなく、音声入力条件に応じて入力された音声データも通信部３１０を介してサーバ装置１００、４００に送信してもよい。この場合、サーバ装置１００、４００には、撮影画像取得部１４４だけでなく、通信部３１０を介して受信した音声データを取得する音声データ取得部が設けられる。
【０１０６】
かかる構成により、サーバ装置１００、４００は、各々の視聴者端末３００から撮影データと音声データを取得し、それらを組み合わせてストーリー性のある写真集を生成することができる。この場合、サーバ装置１００、４００は、音声データを組み込んだ写真集や集合写真を配信することも可能である。
【０１０７】
また、セリフは、配信者が用意した題目に対する回答であってもよい。例えば、配信者が合言葉の上の句を読み上げた場合に、視聴者端末３００の音声入力条件は、それに対する下の句がセリフであってもよい。また、セリフは、配信者が用意したクイズの質問に対する回答であってもよい。
【０１０８】
上記実施形態において、サーバ装置１００、４００は、写真集や集合写真ではなく、取得した撮影画像をそのまま配信してもよい。また、上記実施形態では、配信者端末５００や視聴者端末３００に１回の撮影動作を実行させる例を説明したが、これに限られない。例えば、撮影条件を一つの視聴者端末３００に送信し、その視聴者端末３００に撮影動作を繰り返し実行させてもよい。この場合、サーバ装置１００、４００は、その視聴者端末３００から複数の撮影画像を取得して、写真集を生成してもよい。
【０１０９】
第１実施形態において、サーバ装置１００は、配信者端末２００から撮影画像を取得せず、視聴者端末３００から取得した撮影画像のみで写真集を生成している。しかし、サーバ装置１００は、配信者端末２００が撮影した撮影画像を取得して、それを写真集に加えてもよい。第２実施形態において、サーバ装置４００は、配信者端末５００が撮影した撮影画像を取得して、それを集合写真に含めている。しかし、集合写真は、複数の視聴者端末３００から収集した撮影画像のみで生成されてもよい。
【０１１０】
上記実施形態において、サーバ装置１００、４００の撮影指示信号送信部１４３は、
配信者がクイズの質問、合言葉の上の句等の題目を読み上げたことを契機に、視聴者端末３００に音声入力条件となるセリフを表示させてもよい。
【０１１１】
このような動作を実現するために、例えば、配信者端末２００、５００には、配信者用の音声入力条件を満たしたか否かを判別する音声認識部が設けられる。配信者端末２００、５００の音声認識部が音声入力条件を満たしたと判別した場合に、配信者端末２００、５００はサーバ装置１００、４００に撮影指示信号の送信指示を通知する。この通知に基づいて、サーバ装置１００、４００の撮影指示信号送信部１４３は、視聴者端末３００に音声入力条件となるセリフを表示させることができる。
【０１１２】
上記実施形態では、撮影対象となる被写体は人間（視聴者又は配信者）である。しかし、被写体は人間に限られない。例えば、被写体はペット、置物、物体等であってもよい。例えば、配信者が撮影条件として音声入力条件を設定し、視聴者又は配信者が被写体を撮影画面Ａ１に表示される位置に配置して、音声入力条件となる音声を入力することによって被写体を撮影することができる。この場合、被写体が何であるかを画像認識する必要がないため、被写体は何であってもよい。
【０１１３】
上記実施形態では、配信者が設定した撮影条件が第３の例で説明した音声入力条件である場合、フレームＦ１が撮影画面Ａ１上に表示されていない。しかし、撮影条件が音声入力条件であっても、配信者端末２００、５００や視聴者端末３００が撮影画面Ａ１上にフレームＦ１を表示してもよい。かかる構成によれば、配信者や視聴者は、フレームＦ１の中の画像部分を抽出して画像が撮影画像となることを認識したうえで撮影動作に応じることができる。
【０１１４】
上記実施形態において、サーバ装置１００、４００は、写真集、集合写真、撮影画像等を、撮影動作を実行した視聴者端末３００のみに配信し、撮影動作を実行しなかった視聴者端末３００には配信しない構成としてもよい。この場合、配信される写真集、集合写真、撮影画像等を欲している視聴者は、撮影動作に応じやすくなる。そのため、視聴者からの撮影画像の収集をより円滑化することができる。また、サーバ装置１００、４００の配信部１４１、４４１は、撮影画像を加工した画像を配信者端末２００、５００又は視聴者端末３００に配信してもよい。
【０１１５】
上記実施形態において、視聴者端末３００は、サーバ装置１００、４００に撮影画像を送信する前に、撮影画像を送信してよいか否かを確認する画面を表示してもよい。視聴者端末３００は、その画面を表示している間に、撮影画像の送信を中止する操作を受け付けてもよい。かかる構成によれば、視聴者は、撮影画像を送信したくない場合（例えば、うまく撮影できなかった場合）に撮影画像の送信を中止することができる。
【０１１６】
また、上記実施形態において、視聴者端末３００は、サーバ装置１００、４００が撮影画像を配信する前に、撮影画像を配信してよいか否かを確認する画面を表示してもよい。視聴者端末３００は、その画面を表示している間に、撮影画像の配信を中止する操作を受け付けて、サーバ装置１００、４００に配信を中止する指示を送信してもよい。かかる構成によれば、視聴者は、撮影画像を配信したくない場合（例えば、撮影動作実行後に視聴者の気が変わった場合）に撮影画像の配信を中止することができる。
【０１１７】
上記実施形態に係る配信システム１、２では、配信者端末２００、５００と視聴者端末３００とを異なる構成とし、両者を区別可能にしている。しかし、配信者端末２００、５００の構成と視聴者端末３００の構成を組み合わせて、その装置を配信者端末としても視聴者端末としても機能する構成としてもよい。
【０１１８】
また、本開示に係る配信システムは、上記装置によらず、例えば、コンピュータがプログラムを実行することで、その機能を実現してもよい。配信システムの機能を実現するためのプログラムは、ＵＳＢ（Universal Serial Bus）メモリ、ＣＤ−ＲＯＭ（Compact Disc−Read Only Memory）、ＤＶＤ（Digital Versatile Disc）、ＨＤＤ（Hard Disc Drive）等のコンピュータ読み取り可能な記録媒体に記憶されてもよいし、ネットワークを介してコンピュータにダウンロードされてもよい。
【０１１９】
以上、本開示の好ましい実施形態について説明したが、本開示は係る特定の実施形態に限定されるものではなく、本開示には、特許請求の範囲に記載された発明とその均等の範囲が含まれる。また、上記実施形態及び変形例で説明した装置の構成は、技術的な矛盾が生じない限り、適宜組み合わせ可能である。
【符号の説明】
【０１２０】
１，２…配信システム、１００，４００…サーバ装置、２００，５００…配信者端末、３００…視聴者端末、１１０，２１０，３１０…通信部、２２０，３２０…操作部、１２０，２３０，３３０…記憶部、１３０…計時部、２４０，３４０…表示部、２５０，３６０…音声入力部、３５０…音声出力部、２６０，３７０…撮像部、１４０，２７０，３８０，４４０，５７０…制御部、１４１，４４１…配信部、１４２…撮影条件取得部、１４３…撮影指示信号送信部、１４４…撮影画像取得部、２７１…配信データ送信部、２７２…撮影条件送信部、３８１…コンテンツ取得部、３８２…撮影指示信号取得部、３８３，５７３…表示制御部、３８４…音声出力制御部、３８５，５７４…画像認識部、３８６，５７５…音声認識部、３８７，５７６…撮影実行部
【図１】
2019068408.tif 000003
【図２】
2019068408.tif 000004
【図３】
2019068408.tif 000005
【図４】
2019068408.tif 000006
【図５】
2019068408.tif 000007
【図６】
2019068408.tif 000008
【図７】
2019068408.tif 000009
【図８】
2019068408.tif 000010
【図９】
2019068408.tif 000011
【図１０】
2019068408.tif 000012
【図１１】
2019068408.tif 000013
【図１２】
2019068408.tif 000014
【図１３】
2019068408.tif 000015
【図１４】
2019068408.tif 000016